(57)【要約】【課題】フェンスと通線管又は監視装置とを設置する場合の全体の作業工数を削減して、コストを低減すると共に、外観の向上を図る。【解決手段】複数のセンサー用支柱１１Ａ，１１Ｂが管理区域を囲むように配置され、このセンサー用支柱１１Ａ，１１Ｂは、その上側に赤外センサーを構成する投光部１２（ａ〜）と受光部１３（ａ〜）が設けられ、センサー用支柱間にはフェンス体１５Ａ，１５Ｂが取り付けられる。このフェンス体１５Ａ，１５Ｂは、垂直支持体１６ａ，１６ｂと、例えば上側の水平支持体であって円筒状金属管からなる通線管支持体１７ａと、下側水平支持体１７ｂとで金網１８を保持する構成とされる。この通線管支持体１７ａの外周に、威嚇装置である面発光照明板２３が取り付けられ、内部に上記赤外センサーと威嚇装置に接続される信号線及び電源線からなるケーブル２０が通される。【選択図】図１
2006307438.tif 000002
【特許請求の範囲】
【請求項１】
各種センサー又は威嚇装置に接続される信号線及び電源線を通すための通線管を、フェンス構造物として一体に組み付けてなるセンサーフェンス。
【請求項２】
上記通線管は、フェンス構造物としての水平方向の支持体として設けたことを特徴とする上記請求項１記載のセンサーフェンス。
【請求項３】
上記センサーフェンスの通線管に、侵入監視用センサーのための信号線及び電源線を通すと共に、上記センサーフェンスに威嚇用装置を設けた、センサーフェンスを用いた監視装置。
【請求項４】
上記威嚇用装置として、フレキシブル面発光照明板又は線発光照明体を用い、このフレキシブル面発光照明板又は線発光照明体を上記通線管の外周面に取り付けたことを特徴とする請求項３記載のセンサーフェンスを用いた監視装置。
【請求項５】
上記威嚇用装置として、電気的刺激を与える電撃装置を上記センサーフェンスに取り付けたことを特徴とする請求項３記載のセンサーフェンスを用いた監視装置。
【発明の詳細な説明】
【技術分野】
【０００１】
本発明はセンサー（用）フェンス及びセンサーフェンスを用いた監視装置、特に空港、電力施設等の管理区域のフェンスと侵入者、侵入物を監視する監視装置（センサー装置）とを一体化するための構成に関する。
【背景技術】
【０００２】
従来から、空港、電力施設、特殊建築・施設、自然動物園等の管理区域では、赤外線センサー等の検出装置や監視カメラ等を用いた侵入者、侵入物の検知が行われている。例えば、赤外線センサーや監視カメラを取り付けたポール状本体を管理区域の周囲に所定間隔で配置すると共に、これらの複数のポール状本体を電気的に接続し、２つのポール状本体の間で赤外線を投光してその受光状態を検出することにより、侵入者、侵入物を検知することができる。
【０００３】
【特許文献１】特開２００３−１５０１３５号公報
【発明の開示】
【発明が解決しようとする課題】
【０００４】
ところで、上記のようなポール状本体等からなる監視装置は、管理区域を仕切るフェンスに近接して並設されるが、このフェンスとは別個に設置及び配線工事が行われることから、フェンスと監視装置の全体工事で考えると、作業工数が多く、コスト的に無駄がある。また、監視装置であるポール状本体等がフェンスの支柱と並んで設置されることから、支柱部が二重となり、更にはポール状本体間の電気的配線のための通線管がフェンスに沿って水平方向に後付けされることから、外観的に通線管がフェンスに一体化せず、浮いた状態となり、外観が余り良くないという問題がある。
【０００５】
本発明は上記問題点に鑑みてなされたものであり、その目的は、フェンスと通線管又は監視装置とを融合させることにより、これらを設置する場合の全体の作業工数を削減してコストを低減すると共に、外観の向上を図ることができるセンサーフェンス及びセンサーフェンスを用いた監視装置を提供することにある。
【課題を解決するための手段】
【０００６】
上記目的を達成するために、請求項１の発明に係るセンサーフェンスは、各種センサー又は威嚇装置に接続される信号線及び電源線を通すための通線管を、フェンス構造物として一体に組み付けてなることを特徴とする。
請求項２に係る発明は、上記通線管は、フェンス構造物としての水平方向の支持体として設けたことを特徴とする。
請求項３の発明に係るセンサーフェンスを用いた監視装置は、上記センサーフェンスの通線管に、侵入監視用センサーのための信号線及び電源線を通すと共に、上記センサーフェンスに威嚇用装置を設けたことを特徴とする。上記監視用センサーとしては、赤外線センサー、撮影された映像から侵入者を検知する監視カメラ装置、真っ直ぐ張った線状物に掛かる負荷（侵入者）を張力の変化として検出する線状物張力センサー、フェンス等の振動を検出する振動センサー等が用いられる。
請求項４に係る発明は、上記威嚇用装置として、フレキシブル面発光照明板又は線発光照明体を用い、このフレキシブル面発光照明板又は線発光照明体を上記通線管の外周面に取り付けたことを特徴とする。
請求項５に係る発明は、上記威嚇用装置として、電気的刺激を与える電撃装置を上記センサーフェンスに取り付けたことを特徴とする。
【０００７】
上記の構成によれば、例えば侵入監視用センサーを設けたセンサー用支柱（ポール状本体）が管理区域の周囲に所定間隔で複数設置され、このセンサー用支柱間に、フェンスを構成する金網（網状）、格子状、板状の壁面部材が配置されることになり、これらフェンス壁面部材が水平（横）方向と垂直（縦）方向の支持体で支持（又は保持）されることになるが、この水平方向の支持体を通線管とし、また上記センサー用支柱を垂直方向の支持体として利用する。上記通線管は、信号線及び電源線を内部へ通して保持することのできる管で、金網等のフェンス壁面部材を支持するための強度を有する金属製（或いは硬質プラスチック製等）の管からなり、所定大きさのフェンス体を複数連結して建築する場合、この通線管は接続管を用いて接続することにより水密性（耐浸水性）が維持される。
【０００８】
また、上記の通線管の外周に、威嚇装置としてのフレキシブル面発光照明板を巻き付けたり、線発光照明体を取り付けたりすることができ、侵入監視用センサーで侵入が検出されたときには、フレキシブル照明板が点灯又は点滅することになる。更に、威嚇装置である電撃装置として、例えばフェンス壁面部材を保持する部分に対し電気的に絶縁された状態で棒状物（これを通線管としてもよい）を水平方向に並設し、例えば壁面部材側をマイナス側、棒状物をプラス側として電圧をかける構成を採用することができ、この場合は、侵入監視用センサーで侵入が検出されたときに、侵入者又は侵入物に対して電撃が加えられることになる。
【発明の効果】
【０００９】
本発明によれば、フェンスと通線管又は監視装置とを融合させることにより、従来のように、フェンスの設置と通線管の工事を別々に行ったり、またフェンスと監視装置の設置を別個に行ったりすることなく、作業工数を減らした一連の工事として施工することができ、フェンスと通線管又は監視装置を工事・設置する場合の全体のコストを低減することが可能となる。しかも、従来のように通線管自体が外観上、フェンスとは別体のものとは認識されず、フェンスと一体化するので、監視装置等を含めた全体の外観を向上させることができる。
【００１０】
上記請求項４によれば、面発光照明板による面威嚇、線発光照明体による線威嚇が行われることになり、侵入者等に対し効果の高い威嚇を行うことができる。即ち、従来ではランプ等の点状照明器によって点威嚇が行われていたが、この点威嚇と比較すると、威嚇効果が高くなる。
【発明を実施するための最良の形態】
【００１１】
図１乃至図５には、第１実施例に係るセンサーフェンスを用いた監視装置の一部の構成が示されており、図１に示されるように、監視装置の複数のセンサー用支柱（ポール状本体）１１Ａ，１１Ｂ［〜１１Ｎ（Ｎ個）］が管理区域の敷地境界線に例えば数十ｍ〜１００ｍ程度の間隔で配置され、このセンサー用支柱１１Ａ，１１Ｂの間に、金網フェンスが取り付けられる。このセンサー用支柱１１Ａ，１１Ｂの上側には、例えば２個の赤外線センサー（２光軸）を構成する投光部１２（ａ，ｂ）、受光部１３（ａ，ｂ）が３０ｃｍ〜５０ｃｍ程度の間隔で異なる高さに配置されており、これによりフェンスを越えて侵入する侵入者等を良好に検出することができる。なお、このセンサー用支柱１１Ａ，１１Ｂには、赤外線センサーと一緒に又は別個に監視カメラ（赤外線カメラ又は可視光カメラ）を配置し、このカメラで捉えられた画像を監視室に送ったり、又は画像解析によって侵入状態を判定したりしてもよい。
また、各赤外線センサーの検出信号の伝送は、２線式多重通信（時分割、周波数分割）方式で行うようにしており、複数の赤外線センサーを配置する場合でも、２線の信号線を配置すればよい。
【００１２】
そして、上記センサー用支柱１１Ａ，１１Ｂに、金網（この壁面部材としては、格子状のもの、板状物を並べたもの等を適用できる）フェンス体１５Ａ，１５Ｂが取り付けられており、この金網フェンス体１５Ａ，１５Ｂは、垂直支持体１６ａ，１６ｂと上側水平支持体である通線管支持体１７ａと下側水平支持体１７ｂ（これを通線管支持体としてもよい）で金網１８を保持する構成とされ、上記垂直支持体１６ｂと通線管支持体１７ａ及び水平支持体１７ｂの端部がセンサー用支柱１１Ａ，１１Ｂの外装体に固定される。上記通線管支持体１７ａは、円筒状金属管（又は硬質プラスチック管）等の通線管からなり、フェンス体間のそれぞれの通線管支持体１７ａは、接続管１７ｃで接続され、全体が水密（雨水等の侵入を防止する）状態となる。なお、下側の水平支持体１７ｂは、金属片をくの字状、コの字状等に曲げた形成したもの等とすることができ、それぞれの水平支持体１７ｂは同様の形状の接続具１７ｄをネジ固定することにより連結される。
【００１３】
上記の通線管支持体１７ａの内部に、赤外線センサーの投光部１２（ａ，ｂ）及び受光部１３（ａ，ｂ）へ接続される信号線及び電源線からなる（電気）ケーブル２０が通されており、このケーブル２０は、センサー用支柱１１Ａ，１１Ｂ内のコネクタ部２１から分岐されており、フェンス体１５Ａ，１５Ｂの接続部ではコネクタＣ１で接続される。また、この通線管支持体１７ａの外周には、詳細は後述するが、威嚇装置として例えばＥＬ素子を用いたフレキシブル面発光照明板（装置）２３が配置され、このフレキシブル面発光照明板２３はコネクタＣ２を備えている。
【００１４】
図２には、上記通線管支持体１７ａとセンサー用支柱１１Ａ，１１Ｂの接続部における電気配線が示されており、コネクタ部２１では、監視室側から配線されるケーブル２５の分岐部２５ａから、信号線及び電源線のコネクタＣ１、電源線のコネクタＣ２、信号線及び電源線のコネクタＣ３が分岐して設けられている。そして、上記コネクタＣ１を介して、センサー用支柱１１Ｂ等へ向かう信号線及び電源線のケーブル２０が接続され、上記コネクタＣ２を介してフレキシブル面発光照明板２３が接続され、上記コネクタＣ３を介して、センサー用支柱１１Ａの投光部１２（ａ，ｂ）及び受光部１３（ａ，ｂ）へ向かう信号線及び電源線のケーブル２６が接続される。
【００１５】
図３には、上記フレキシブル面発光照明板２３の各種構成例が示されており、この面発光照明板２３は、例えば電界発光を利用した発光体であるＥＬ（Ｅｌｅｃｔｒｏ  Ｌｕｍｉｎｅｓｃｅｎｃｅ）素子或いは有機ＥＬ素子が用いられ、このＥＬ素子をフレキシブルで透明な保護カバーシートの中に挟みこむようにして形成し、金属電極や透明電極等を用いて配線しコネクタＣ２を設けたものである。この面発光照明板２３としては、図３（Ａ）のように、所定の色を発光させる１枚の面発光ＥＬ素子２３ａを形成したもの、図３(Ｂ)のように、異なる色（赤、黄、青、緑、橙、紫等）を発光する帯状のＥＬ素子２３ｂを複数並べたもの、図３（Ｃ）のように、同一色又は異なる色を発光する複数の短冊状（個の形状は、円形等任意である）のＥＬ素子２３ｃを長手方向へ規則性を以って並べたもの等を採用することができる。
【００１６】
図４には、威嚇装置である照明装置の他の例として、発光体を線状に並べた線発光照明体の構成が示されており、図４（Ｂ）に示されるように、この例では、通線管支持体２７の上側に、案内溝２７ｅが設けられ、この案内溝２７ｅにフレキシブルな線発光照明体２９が配置される。この線発光照明体２９は、フレキシブル透明チューブの中に単一色又は異なる色のＬＥＤ（発光ダイオード）３０を等間隔で線状に並べたものである（異なる色のＬＥＤの場合は規則性を以って並べる）。
【００１７】
図５には、侵入監視用センサーと監視室との間における信号伝送と電源供給の方式が示されており、第１実施例の場合は、図５（Ａ）に示されるように、信号線及び電源線を有するケーブル２５にて監視装置であるセンサー用支柱１１Ａと監視室３２の間が接続される。しかし、図５（Ｂ）のように、送受信機を備えたアンテナ３３Ａ，３３Ｂを設け、侵入者監視等に関する信号の伝送を無線によって行い、電源のみを電源ケーブル３４で供給するようにしてもよい。また、図５（Ｃ）のように、送受信機を備えたアンテナ３３Ａ，３３Ｂを設けると共に、センサー用支柱１１Ａ，１１Ｂ等にソーラー電源（太陽電池等）３５を配置し、センサー用支柱１１Ａと監視室３２の間のケーブル（２５，３４）をなくすようにしてもよい。
【００１８】
第１実施例は以上の構成からなり、図１に示されるように、例えば１００ｍ程度離れた位置にセンサー用支柱１１Ａ，１１Ｂを設置すると共に、このセンサー用支柱１１Ａ，１１Ｂの間に配置した複数のフェンス体１５Ａ，１５Ｂ…を接続管１７ｃ及び接続具１７ｄで連結し、また通線管支持体１７ａの上側外周には、威嚇装置として、フレキシブルな面発光照明板２３や線発光照明体２９を取り付けることにより、フェンスと一体にした監視装置を設置することができる。
【００１９】
そして、上記センサー用支柱１１Ａ，１１Ｂの赤外線センサーの投光部１２（ａ，ｂ）と受光部１３（ａ，ｂ）によって侵入者又は侵入物が検出されたときには、不図示の警報器によって警報が鳴り、監視室３２にはその侵入状態や画像が供給されると共に、威嚇装置としての面発光照明板２３、或いは線発光照明体２９が点灯又は点滅する。
【００２０】
図６には、第２実施例の構成が示されている。図６に示されるように、第２実施例は、監視装置であるセンサー用支柱１１Ａ，１１Ｂ，１１Ｃの設置位置をフェンス体１５の位置から少し内側へずらし、センサー用支柱１１Ａ〜１１Ｃの高さ方向の全域に赤外線センサーを配置したものである。即ち、投光部１２（ａ〜ｅ）と受光部１３（ａ〜ｅ）を１組とした赤外線センサーが、地面から３０ｃｍ程度の間隔で高さ方向へ順に５箇所（５光軸）配置される。そして、図６（Ｂ）に示されるように、フェンス体１５の通線管支持体１７ａの内部に通されたケーブル２０とセンサー用支柱１１Ａ〜１１Ｃ配置されたケーブル２５は、適当な場所で接続され監視室３２へ導かれる。
【００２１】
このような第２実施例では、図６（Ａ），（Ｃ）に示されるように、フェンス体１５の前側の位置で５系統の赤外線が投受光されるので、侵入者の検知が容易となり、また通線管が通線管支持体１７ａとしてフェンス１５と一体になるので、良好な外観が得られる。
【００２２】
図７には、威嚇装置として電撃装置を用いた第３実施例の構成が示されている。図７に示されるように、基本的な構成は第１実施例と同様となっているが、この第３実施例では、上側の水平支持体として、金網を取り付けるための金属製水平支持体１７ｃと金属製の通線管支持体４０及び接続管４１が設けられ、この通線管支持体４０の中に、赤外線センサーの投光部１２及び受光部１３へ接続される信号線及び電源線からなるケーブル２０が通される。そして、この通線管支持体４０は、絶縁体４２によって水平支持体１７ｃと網状体１８から電気的に分離されており、この通線管支持体４０側に、コネクタ部２１から配線された電源線によって例えば正（＋）電圧（又はＡＣ１電圧）が印加され、上記水平支持体１７ｃ及び網状体１８側に、コネクタ部２１から配線された電源線によって負（−）電圧（又はＡＣ２電圧）が印加される。
【００２３】
この第３実施例によれば、赤外線センサーで侵入者等が検出されたとき、例えば通線管支持体４０に正電圧が印加され、水平支持体１７ｃ及び網状体１８に負電圧が印加されることにより、侵入者等に電撃が与えられる。なお、当該例では、図７の上記水平支持体１７ｃを第１実施例のように通線管支持体とし、上記通線管支持体４０を単なる金属棒等として、それぞれに異なる極の電圧を付加する構成にすることもできる。
【００２４】
図８には、侵入監視用センサーとして線状物張力検出センサーを設けた第４実施例が示されている。図８に示されるように、この第４実施例のフェンスは、金網１８、この金網１８を下側で支持し上側では線状物である例えば３本のワイヤ４５を支持する支柱４６、金網１８を支持する上側水平支持体であって通線管からなる通線管支持体４７、下側水平支持体４８及び垂直支持体４９（全て金属製）から構成される。また、通線管支持体４７には、上記第１実施例の場合と同様に、図３で説明した威嚇装置としての面発光照明板２３(又は図４の線発光照明体２９)が取り付けられ、この通線管支持体４７の内部には、この照明板２３と後述する線状物張力検出センサー（５１）のための電源線及び信号線が配設される。
【００２５】
そして、上記支柱４６には、各々のワイヤ４５に掛かる張力を検出して侵入者を検出する線状物張力センサー５１が３本のワイヤ４５に個別に接続されており、この３列の線状物張力センサー５１は、支柱４６間に配設されている３本のワイヤ４５に与えられる侵入者の負荷を張力の変化として検出する。即ち、この線状物張力センサー５１は、例えばワイヤ４５をスプリング（付勢部材）等で接続することよって移動（進退）可能に取り付け、侵入者等の重みで力が掛かったときのワイヤ４５の所定の移動量をロータリーエンコーダ等の位置検出器、或いはマイクロスイッチ等の移動量検出スイッチで検出し、この所定移動量があるときに侵入者等の存在を示す信号を出力するものである。
【００２６】
この第４実施例によれば、線状物張力センサー５１によってワイヤ４５に触れた侵入者が検出され、このときには、警報と共にこの侵入者の存在が監視室に供給され、また面発光照明板２３が点灯又は点滅することになる。
【００２７】
図９には、侵入監視用センサーとしてフェンスの振動を検出する振動検出センサーを設けた第５実施例が示されている。図９に示されるように、この第５実施例のフェンスは、水平の通線管支持体５３、下側水平支持体４８、垂直の通線管支持体５４、垂直支持体５５で金網１８を保持する構造となっており、上記通線管支持体５３に、威嚇装置としての面発光照明板２３(又は図４の線発光照明体２９)が取り付けられる。また、このフェンスには、金網１８等に水平方向に光ファイバ線５７が取り付けられると共に、垂直の通線管支持体５４に光ファイバ線５７の振動状態を検出する振動検出センサー５８が取り付けられる。そして、この振動検出センサー５８に接続されるケーブル２０は、通線管支持体５４，５３内に配線される。
【００２８】
このような第５実施例の構成によれば、振動検出センサー５８は光ファイバ線５７内へ供給した光の伝送波形の変化によってフェンスの振動状態を検出しており、この振動状態によって侵入者の判定が行われ、これによって面発光照明板２３が点灯又は点滅する。
このようにして、第１乃至第５の実施例では、通線管がフェンスに一体となり、作業工数の削減、コストの低減を図ることができ、しかも監視装置を含めたフェンス全体の外観を向上させることが可能となる。
【図面の簡単な説明】
【００２９】
【図１】本発明の第１実施例に係るセンサーフェンスを用いた監視装置の構成を示す正面図である。
【図２】図１の装置の通線管支持体とセンサー用支柱の接続部での電気配線［図（Ａ）］と、面発光照明板を取り付けた通線管支持体の断面［図（Ｂ）］を示す図である。
【図３】実施例の威嚇装置としての面発光照明板の構成例を示す図である。
【図４】実施例の威嚇装置としての線発光照明板の構成例を示し、図（Ａ）は上面図、図（Ｂ）は断面図である。
【図５】実施例のセンサーフェンスを用いた監視装置と監視室との間で行う信号伝送及び電源供給の方式の例を示す図である。
【図６】第２実施例のセンサーフェンスを用いた監視装置の構成を示し、図（Ａ）は正面図、図（Ｂ）は側面図、図（Ｃ）は上面図である。
【図７】第３実施例のセンサーフェンスを用いた監視装置の構成を示す図である。
【図８】第４実施例のセンサーフェンスを用いた監視装置の構成を示し、図（Ａ）は正面図、図（Ｂ）は側面図、図（Ｃ）は上面図である。
【図９】第５実施例のセンサーフェンスを用いた監視装置の構成を示す正面図である。
【符号の説明】
【００３０】
１１Ａ，１１Ｂ，１１Ｃ…センサー用支柱、
１２ａ〜１２ｅ…投光部、            １３ａ〜１３ｅ…受光部、
１５Ａ，１５Ｂ，１５…フェンス体、  １６ａ，１６ｂ，４９…垂直支持体、
１７ａ，４０，４７，５３，５４…通線管支持体、
１７ｂ，４８…水平支持体、
１８…金網（フェンス壁面部材）、
２０，２５…ケーブル（信号線及び電源線）、
２１…コネクタ部、                  ２３…面発光照明板、
２９…線発光照明体、                ４５…ワイヤ、
４６…支柱、                        ５１…線状物張力センサー、
５７…光ファイバ線、                ５８…振動検出センサー、
Ｃ１，Ｃ２，Ｃ３…コネクタ。
【図２】
2006307438.tif 000003
【図３】
2006307438.tif 000004
【図４】
2006307438.tif 000005
【図６】
2006307438.tif 000006
【図８】
2006307438.tif 000007
【図９】
2006307438.tif 000008
【図１】
2006307438.tif 000009
【図５】
2006307438.tif 000010
【図７】
2006307438.tif 000011